(57)【特許請求の範囲】
【請求項１】
対向するガイド面によって構成された搬送路と、該搬送路に配置された対向するローラとを備え、前記ローラでカードの表裏を挟みこんで搬送するカード搬送機構において、
前記対向するガイド面のうち少なくとも一方に形成したガイド不連続部分の搬送方向上流側に、他方側に突出し、搬送される前記カードの先端の変形部分が前記ガイド不連続部分に接触しないように規制する補助ガイドを備えた
カード搬送機構。
【請求項２】
前記補助ガイドの幅を、
前記ガイド不連続部分の幅以上の長さに形成した
請求項１記載のカード搬送機構。
【請求項３】
前記補助ガイドの頂部を、
前記搬送路を通過する前記カードに接触する位置に形成した
請求項１又は２記載のカード搬送機構。
【請求項４】
前記補助ガイドに、
前記カードの搬送方向に対して３０度以下の角度で形成した規制面を備えた
請求項１、２又は３記載のカード搬送機構。
【発明の詳細な説明】
【技術分野】
【０００１】
本発明は、例えば金融機関などで使われているカード発行機や現金自動預払機等に搭載されているカード読み取り機に適用されるカード搬送機構に関するものである。
【背景技術】
【０００２】
カード発行機やカード読み取り機に適用されるカード搬送機構は、従来の搬送路について説明する図１１乃至１３に示すように、対向する搬送ガイド１４，１５で構成された搬送路内で、回転するローラでカードの表裏を挟みこんでカードを搬送している。
【０００３】
図１１は従来のカード搬送機構の搬送路におけるユニット接合部３８の説明図であり、図１２はユニット接合部３８での搬送ジャムについて説明する説明図であり、図１３はセンサ検知孔２４部分について説明する説明図である。なお、図１１及び図１２において、各構成を明確にするためカードを搬送するローラについて図示省略している。
【０００４】
このような従来のカード発行機やカード読み取り機は、図１３に示すように、搬送路３０におけるカード位置を把握するためのセンサ（図示省略）を備え、前記搬送ガイド１４にセンサ用のセンサ検知孔２４を有している。また、搬送方向に長く、分割構成された搬送路３０の場合、図１１に示すような平面視櫛歯形状の接合部３８を有することとなる。
【０００５】
前記センサ検知孔２４やユニット接合部３８が存するこのような搬送路３０において、変形していない通常の取引カード５０であれば、ユニット接合部３８やセンサ検知孔２４の搬送ガイド１４の端面にカード先端面が衝突することなくスムーズに搬送することができる。
【０００６】
また、図１１に示すように、下方向への分岐搬送路３１を有する場合、ユニット接合部３８部分には、搬送ガイド１４，１４の対向する端面が逆への字状に折り曲げられて形成されたガイド面６１，６２が設けられている。これにより、割れ等の変形のない通常の取引カード５０であれば、分岐搬送路３１から搬送路３０への合流方向の搬送の際に、ガイド面６１，６２によってスムーズに搬送することができる。したがって、変形のない通常の取引カード５０がユニット接合部３８やセンサ検知孔２４の搬送ガイド１４の端面に衝突するカードジャムは発生しない。
【０００７】
しかし、流通しているカードには、折れ、反り、割れ或いは割れた部分のめくれ等の変形部分を有する変形カード５０ａが存在している。折れや反りのある変形カード５０ａは、センサ検知孔２４の搬送ガイド１４の端面に衝突して搬送ジャムとなる可能性がある。これに対し、センサ検知孔２４の端面への衝突を防止できる傾斜面を備えることが提案されている（特許文献１参照）。
【０００８】
この傾斜面は、例えば、センサ検知孔２４の搬送方向の搬送ガイド１４の対向縁部を上方に傾斜させて形成することができる。これにより、変形カード５０ａがセンサ検知孔２４の搬送ガイド１４の端面へ衝突することを防止できる。
【０００９】
しかし、割れや割れた部分のめくれ等の変形部分を有する変形カード５０ａが搬送された場合、前記傾斜面は、割れや割れた部分のめくれ等の変形部分のセンサ検知孔２４の搬送ガイド１４の端面への衝突によって生じる搬送ジャムを防止できなかった。
【００１０】
また、同様に、ユニット接合部３８は、折れや反りのある変形カード５０ａの場合であっても、ガイド面６１，６２によって変形カード５０ａをスムーズに搬送することができ、変形カード５０ａがユニット接合部３８の搬送ガイド１４の端面に衝突する搬送ジャムを防止できる。
【００１１】
しかし、割れや割れた部分のめくれ等の変形部分を有する変形カード５０ａの場合、ユニット接合部３８は、割れや割れた部分のめくれ等の変形部分がユニット接合部３８の搬送ガイド１４の端面に衝突することを防止できなかった。
【００１２】
このように、変形部分は割れの状態、位置、変形の度合い等によって様々な形態を有するため、変形カード５０ａを部分的に押さえるガイド機構では、変形部分を規制することができない場合があり、搬送ジャムをなくすことはできなかった。
【００１３】
さらには、変形カード５０ａの両側面をガイドするガイド機構も考えられるが、割れや割れた部分のめくれ等の変形部分を有する変形カード５０ａの場合、割れや割れた部分のめくれ等の変形部分を直接ガイドできず、搬送ジャムをなくすことはできなかった。
【００１４】
【特許文献１】実開平５−５２９６０号公報
【発明の開示】
【発明が解決しようとする課題】
【００１５】
この発明は、上述の問題点に鑑み、割れや反りの変形カードであっても、搬送ジャムが発生することなく、確実に搬送することのできるカード搬送機構を提供することを目的とする。
【課題を解決するための手段】
【００１６】
この発明は、対向するガイド面によって構成された搬送路と、該搬送路に配置された対向するローラとを備え、前記ローラでカードの表裏を挟みこんで搬送するカード搬送機構において、前記対向するガイド面のうち少なくとも一方に形成したガイド不連続部分の搬送方向上流側に、他方側に突出し、搬送される前記カードの先端の変形部分が前記ガイド不連続部分に接触しないように規制する補助ガイドを備えたカード搬送機構であることを特徴とする。
【発明の効果】
【００１７】
この発明により、割れや反りのある変形カードであっても、搬送ジャムを発生することなく、確実に搬送することのできるカード搬送機構を提供することができる。
【発明を実施するための最良の形態】
【００１８】
以下、本発明の一実施例について説明する。  
【実施例１】
【００１９】
まず、現金自動預払機（以下ＡＴＭと略す）に搭載されているカード読み取り発行機１０について図１乃至４とともに説明する。  
図１はカード読み取り発行機１０の構成図を示し、図２は変形カード５０ａの平面図による説明図を示し、図３は分岐部分６５の説明図を示し、図４は搬送サポートガイド７０の拡大縦断面図を示している。なお、図３において、各構成を明確にするためカードを搬送する搬送ローラ１１，１２について図示省略している。
【００２０】
ＡＴＭに搭載されているカード読み取り発行機１０は、新規の振込券を発行するための振込券発行部Ａと、磁気カードの読み書きを行う磁気カード読取り機構部Ｂとで構成され、カード取込口３５から振込券分離部３６までを一直線上に繋げる搬送路３０が備えられている。搬送路３０は、磁気カード読取り機構部Ｂの取込口側搬送路３３と、振込券発行部Ａの繰り出し部側搬送路３２とで構成されている。
【００２１】
繰り出し部側搬送路３２及び取込口側搬送路３３は、天井部分の搬送ガイド１４と、底面部分の搬送ガイド１５とで構成され、図３に示すような、ガイド不連続部分に対応する平面視櫛歯形状のユニット接合部３８を介して接続されている。また、平面視櫛歯形状のユニット接合部３８は、搬送ガイド１４の対向する端部が櫛歯状に交互に配置され、側面視逆への字状に折り曲げられてガイド面６１，６２が形成されている。
【００２２】
振込券発行部Ａは、繰り出し部側搬送路３２と、磁気カード読取り機構部Ｂと反対側の繰り出し部側搬送路３２の端部に配置されて振込券分離部３６を介して新規振込券を堆積するホッパ３９と、堆積した振込券を繰り出すための繰り出しローラ３７と、読み取ったカードを退避するためのカード退避路３１とを備えている。
【００２３】
カード退避路３１は、繰り出し部側搬送路３２に対して、搬送方向途中の分岐部分６５で下方向に枝状に分岐した分岐路である。なお、分岐部分６５は、カード退避路３１と分岐部分６５以降の繰り出し部側搬送路３２との搬送方向を切り替えるための切替ゲート６５ａを備えている。
【００２４】
なお、繰り出し部側搬送路３２及びカード退避路３１の搬送ガイド１４，１５には、天井側と底面側とで一対に構成された搬送ローラ１１，１２が適所に備えられている。
【００２５】
さらには、繰り出し部側搬送路３２におけるユニット接合部３８の分岐部分６５側、すなわち取引カード５０をカード退避路３１から取込口側搬送路３３へ搬送する搬送方向上流側の搬送ガイド１４に、補助ガイドに対応する搬送サポートガイド７０を備えている。
【００２６】
搬送サポートガイド７０は、下向きに凸な断面三角形状で、カード搬送方向と直交する方向へ一直線に、繰り出し部側搬送路３２の全幅に渡って形成されている。なお、図４に示すように、搬送サポートガイド７０の下向きに凸な三角断面形状、すなわち山型部における、規制面に対応する規制斜面７０ａは、カード先端面５１とのカード突入角Ｇ、すなわち取引カード５０の搬送方向に対する交差角を３０度以下に設定している。
【００２７】
また、搬送サポートガイド７０の高さは、搬送の負荷とならない高さであり、頂部７０ｂがカード先端面５１の底面位置、すなわち搬送ガイド１５側の端面角部と略一致する高さに形成されている。
【００２８】
磁気カード読取り機構部Ｂは、上記取込口側搬送路３３と、取引カード５０及び振込券を読み書きするための磁気ヘッド４０と、取引カード５０を取り込むとともにエンドユーザに返却するカード取込口３５とを備えている。
【００２９】
なお、取込口側搬送路３３の搬送ガイド１４，１５には、天井側と底面側とで一対に構成された搬送ローラ１１，１２と、磁気ヘッド４０，４０が適所に装着されている。また、カード取込口３５は、振込券発行部Ａ側と反対側の取込口側搬送路３３の端部に配置されている。
【００３０】
また、カード読み取り発行機１０は、図示していないが、ＡＴＭからの命令を受け取り振込券発行部Ａと磁気カード読取機構部Ｂを制御するための制御部、制御のために位置を確認するセンサ類、搬送ローラ１１，１２、切替ゲート６５ａを駆動するためのアクチュエータを有している。
【００３１】
上記構成で構成されたカード読み取り発行機１０に、エンドユーザが、カード取込口３５よりＣの方向へ取引カード５０を挿入すると、搬送機構内の搬送ローラ１１，１２によって、搬送路３０を構成する搬送ガイド１４，１５の間を搬送しながら、磁気ヘッド４０にて磁気データの読み取りを行う。
【００３２】
振込券の発行命令がＡＴＭ制御部（図示省略）から指示された場合には、取込口側搬送路３３を通過するまで搬送し、繰り出し部側搬送路３２及びカード退避路３１の分岐部分６５にある切替ゲート６５ａをｘ方向に回転させ、カード搬送方向をカード退避路３１側に向けて取引カード５０を搬送する。そして、カード退避路３１に取引カード５０を退避させ、切替ゲート６５ａを回転前の状態に戻す。
【００３３】
その後、繰り出しローラ３７を回転させて振込券分離部３６よりホッパ３９内の振込券を１枚繰り出し、そのまま搬送ローラ１１、１２にて取引カード５０を搬送しながら磁気ヘッド４０にて磁気データの書き込みを行い、カード取込口３５からエンドユーザに発行する。
【００３４】
そして、カード退避路３１に退避させた取引カード５０を返却するために、搬送ローラ１１，１２を回転させ、カード退避路３１から分岐部分６５を通過させて、取引カード５０を取込口側搬送路３３に搬送する。
【００３５】
このとき、取引カード５０は、振込券発行部Ａと磁気カード読取り機構部Ｂの間の櫛歯形状のユニット接合部３８を通過することとなる。  
詳しくは、図３（ｂ）に示すように、カード退避路３１から取込口側搬送路３３への搬送時、取引カード５０のカード先端５１は、搬送サポートガイド７０の規制斜面７０ａによって略への字状に湾曲し、ユニット接合部３８の端部に備えたガイド面６１，６２によって、ユニット接合部３８の端面に衝突することなく搬送ガイド１４に誘導される。したがって、ユニット接合部３８における搬送ジャムは生じず、取引カード５０を取込口側搬送路３３へスムーズに誘導して、搬送路３０を搬送することができる。
【００３６】
このようにして、カード読み取り発行機１０は、ユニット接合部３８、取込口側搬送路３３を搬送し、カード取込口３５より、取引カード５０を排出して、搬送ジャムを生じることなくエンドユーザへ返却することができる。
【００３７】
しかし、一般にエンドユーザが保有する取引カード５０は、保管状態が悪く、図２に示すような、ひび割れが生じている場合があり、さらに変形して鋭利な突起部５４を有する場合がある。
【００３８】
詳述すると、このような変形カード５０ａは、図２に示すように、カードの先端であるカード先端面５１から延びる亀裂部５５による、カードの先端の変形部分に対応する割れ突起部５４が生じている。また、他の変形カード５０ａとしては、カード先端面５１から割れた割れ部５４ａを有している。このように、変形カード５０ａは、カード上面５６から上方に突出する割れ突起部５４や割れ部５４ａを有している。この他、変形カード５０ａとして、めくれや剥離等によって生じる割れ突起部５４や割れ部５４ａなどで構成されることもある。
【００３９】
このような、割れ、ひびのある変形カード５０ａをカード退避路３１から切替ゲート６５ａのある分岐部分６５を通過させて取込口側搬送路３３に搬送する際、カード退避路３１にあった変形カード５０ａのカード先端面５１が櫛歯形状のユニット接合部３８に達すると、カード先端面５１や割れ突起部５４は、搬送サポートガイド７０の規制斜面７０ａに沿ってユニット接合部３８から離れる方向、すなわち本実施例においては下方に誘導されて、その後、搬送路３０の搬送ガイド１４に沿ってカード先端面５１が取込口側搬送路３３に導かれる。
【００４０】
以上の構成及び動作により、割れのある変形カード５０ａでも詰まることなくスムーズに搬送することができる。詳述すると、図１１に示すような従来の搬送路３０で変形カード５０ａを搬送する場合、変形カード５０ａの割れ部５４ａは、ガイド面６１に沿わず、搬送ガイド１４を摺動しながらガイド面６１，６２の隙間、及び櫛歯形状のユニット接合部３８のガイド端面６６に、図１２に示すように衝突したり、乗り上げたりして、搬送ジャムが生じる。  
また、従来の場合、変形カード５０ａの割れ部５４ａが鋭利な突起形状であり、幅が小さい場合には搬送ガイドの隙間１００に入り込みジャムとなる場合がある。
【００４１】
しかし、上述のように搬送サポートガイド７０を備えたことにより、割れ突起部５４や割れ部５４ａのようにカード上面５６から突出する変形部分も含めたカード幅全てを抑えることができ、ガイド面６１，６２で従来ガイドされなかった部分もガイド端面６６から遠ざける方向に規制することができる。したがって、衝突や乗り上げを防止し、搬送ジャムが生じず、スムーズなカード搬送を実現することができる。
【００４２】
なお、上記実施例において、カード退避路３１から搬送される取引カード５０を搬送サポートガイド７０の規制斜面７０ａに対し、カード先端面５１とのカード突入角Ｇを３０度以下に設定しているが、このようにカード突入角Ｇを３０度以下に設定することが機構上困難な場合もある。
【００４３】
そこで、上記のような機構を持つ部位においては、搬送サポートガイドの形状を図５、及び図６に示す様な平面視Ｖ字型形状ガイド７１、或いは平面視Ｕ字型形状ガイド７２のように取引カード５０のカード先端面５１における両角部である先端部角５２，５３から先に接触する形状としてもよい。これにより、取引カード５０の先端部角５２，５３が搬送サポートガイド７０の規制斜面７０ａと斜め方向に接触する軌跡を描き、搬送サポートガイド７０と取引カード５０の先端部角５２，５３との接触部が小さくなるため、よりスムーズなカード搬送が可能となる。また、取引カード５０の先端部角５２，５３と、搬送サポートガイド７０の規制斜面７０ａとの衝突角度も小さくなり、よりスムーズなカード搬送が可能となる。
【００４４】
また、ガイドの高さ、長さ、幅を取引カード５０に合わせて変化させてもよく、例えば、図８に示すように取引カード５０にエンボス８０があることが分かっている場合には、図７に示す様に、高さ変更ガイド７３の形状とし、ガイドの高さをエンボス８０のある部分に向かって徐々にエンボス８０の高さ分だけ低く形成し、取引カード５０のエンボス８０で取引カード５０を規制してもよい。
【００４５】
これにより、エンボス８０のない部分と同様の取引カード５０を規制する効果を得ながら取引カード５０の搬送負荷を軽減することができる。サポートガイドの長さや幅についても、取引される取引カード５０の種類、形状を考慮すれば、より搬送負荷を少なくする形状でサポートガイドを実現できる。
【００４６】
さらにまた、上記実施例においては、搬送サポートガイド７０に側面視斜線状の傾斜平面で形成した規制斜面７０ａを備えているが、内部に向かって凹状の曲面形状であり、規制面に対応する規制曲斜面７０ｃを形成してもよい。これにより、図９に示すように、搬送方向に対するカード突入角Ｇを低く設定でき、取引カード５０及びカード読み取り発行機１０に対しても負荷の少ない規制を実現することができる。
【実施例２】
【００４７】
第２の実施例について、センサ検知孔２４付近の搬送路３０の説明図を示す図１０とともに説明する。なお、図１０は、センサ穴のある搬送路の説明図を示している。  
本実施例において、図１０に示すようには搬送路３０に形成されたセンサ検知孔２４の手前、すなわち搬送方向上流側に、センサ検知孔２４の幅よりも大きく、カード幅以下の補助ガイドに対応する搬送サポートガイド２０が設けられている。
【００４８】
この搬送サポートガイド２０は、補助ガイドの頂部である頂部２０ａが、搬送路３０を通過する取引カード５０のカード先端面５１に接触する位置となる高さに形成されている。また、搬送サポートガイド２０は、搬送方向に対して直交方向であるセンサ検知孔２４の幅よりわずかに長い幅で形成されている。
【００４９】
図１３に示す従来の搬送路３０で、カード上面５６から搬送ガイド１４迄の距離２２以上にめくれた割れ突起部５４を有する変形カード５０ａをＥの方向へ搬送する場合、割れ突起部５４が搬送ガイド１４をこすりながら搬送される。このため、搬送ガイド１４にあるセンサ検知孔２４等に割れ突起部５４が衝突して搬送不能となり、搬送ジャムが発生する。
【００５０】
しかし、本実施例の搬送路３０は、センサ検知孔２４の搬送方向上流側の隣接部分の搬送ガイド１４に搬送サポートガイド２０を配置している。このため、搬送される変形カード５０ａの割れ突起部５４はセンサ検知孔２４から衝突から回避する方向、つまり図１０では下方向に規制される。したがって、割れ突起部５４をセンサ検知孔２４から遠ざけて、割れ突起部５４がセンサ検知孔２４との接触を防止することができる。
【００５１】
このように、搬送サポートガイド２０の高さをカード表面から搬送ガイド１４迄の距離２２にカード厚さ２３を加えた高さ、すなわち先端部分２０ａが搬送路３０を通過する取引カード５０のカード先端面５１に接触する高さとなるように形成するとともに、センサ検知孔２４の幅よりわずかに長い幅で搬送サポートガイド２０を形成しているため、搬送サポートガイド２０は、搬送路３０を搬送される取引カード５０のカード先端面５１をセンサ検知孔２４から遠ざかる方向に抑え、センサ検知孔２４と接触しないように規制することができる。これにより、ジャム等の発生を確実に防止することができる。
【００５２】
なお、搬送路３０において、取引カード５０が双方向に搬送される機構の場合には、センサ検知孔２４やユニット接合部３８等のガイド不連続部分の往来方向の両方の上流側に搬送サポートガイド２０や搬送サポートガイド７０を備えるとよい。これにより、両カード先端面５１のいずれに割れ突起部５４や割れ部５４ａが生じた変形カード５０ａであっても、搬送サポートガイド２０や搬送サポートガイド７０によってガイド不連続部分に接触しない方向に割れ突起部５４や割れ部５４ａが規制され、確実に搬送ジャムの生じない搬送を実現することができる。
【００５３】
このように、対向する搬送ガイド１４，１５によって構成された搬送路３０と、該搬送路３０に配置された対向する搬送ローラ１１，１２とを備え、搬送ローラ１１，１２で取引カード５０の表裏を挟みこんで搬送するカード搬送機構をカード読み取り発行機１０に備え、対向する搬送ガイド１４，１５のうち少なくとも一方に形成したユニット接合部３８やセンサ検知孔２４の搬送方向上流側に、下向きに突出し、搬送されるカード先端面５１の割れ突起部５４がユニット接合部３８やセンサ検知孔２４に接触しないように規制する搬送サポートガイド２０，７０を備えたことにより、搬送路３０を搬送されるカード先端面５１を、ユニット接合部３８やセンサ検知孔２４の搬送方向上流側でユニット接合部３８やセンサ検知孔２４に接触しないように、すなわちユニット接合部３８やセンサ検知孔２４と離れる方向であるの他方側に規制できる。
【００５４】
したがって、割れや反りのある変形カード５０ａであっても、ユニット接合部３８やセンサ検知孔２４に引っ掛かったり、衝突することなくスムーズに搬送することができる。したがって、搬送ジャムの発生を防止できる。
【００５５】
また、搬送サポートガイド２０，７０の幅を、ユニット接合部３８やセンサ検知孔２４の幅以上の長さに形成しているため、例えば、不連続幅より幅の狭い割れ部５４ａがある変形カード５０ａであっても、割れ部５４ａをユニット接合部３８やセンサ検知孔２４に接触しないように確実に規制することができ、搬送ジャムの発生をさらに確実に防止できる。
【００５６】
また、搬送サポートガイド２０，７０の頂部２０ａ，７０ｂを、搬送路３０を通過する取引カード５０に接触する位置に形成しているため、搬送される取引カード５０のカード先端面５１をユニット接合部３８やセンサ検知孔２４に接触しないように確実に規制することができるとともに、搬送サポートガイド２０，７０を越えながら搬送される取引カード５０の搬送負荷の増加を抑制することができる。
【００５７】
また、搬送サポートガイド２０，７０に、取引カード５０の搬送方向に対して３０度以下の角度で形成した規制斜面７０ａや規制曲斜面７０ｃを備えたため、搬送路３０を搬送されるカード先端面５１を、ユニット接合部３８やセンサ検知孔２４の搬送方向上流側で、ユニット接合部３８やセンサ検知孔２４に接触しないようにスムーズに規制することができる。したがって、さらに確実に搬送ジャムの発生を防止することができる。
【図面の簡単な説明】
【００５８】
【図１】カード読み取り発行機の構成図。
【図２】変形カードについての説明図。
【図３】本実施例における分岐部分の説明図。
【図４】搬送サポートガイドの拡大縦断面図。
【図５】本発明の別の実施例の図。
【図６】本発明の別の実施例の図。
【図７】搬送サポートガイドの高さ変更の図。
【図８】エンボス有りカードの平面図。
【図９】別の実施例の分岐部分の拡大縦断面図。
【図１０】第２の実施例におけるセンサ穴のある搬送路の説明図。
【図１１】従来の搬送路におけるユニット接合部の概略図。
【図１２】従来の搬送路における割れカードでの搬送ジャム発生時の図。
【図１３】従来のセンサ穴のある搬送路の説明図。
【符号の説明】
【００５９】
１１，１２…搬送ローラ
１４，１５…搬送ガイド
２０…搬送サポートガイド
２０ａ…頂部
２４…センサ検知孔
３０…搬送路
３１…カード退避路
３２…繰り出し部側搬送路
３３…取込口側搬送路
３８…ユニット接合部
５０…取引カード
５０ａ…変形カード
５１…カード先端面
５４…割れ突起部
５４ａ…割れ部
７０…搬送サポートガイド
７０ａ…規制斜面
７０ｂ…頂部
７０ｃ…規制曲斜面
Ｇ…カード突入角
【図１】
0005033606.tif 000002
【図２】
0005033606.tif 000003
【図３】
0005033606.tif 000004
【図４】
0005033606.tif 000005
【図５】
0005033606.tif 000006
【図６】
0005033606.tif 000007
【図７】
0005033606.tif 000008
【図８】
0005033606.tif 000009
【図９】
0005033606.tif 000010
【図１０】
0005033606.tif 000011
【図１１】
0005033606.tif 000012
【図１２】
0005033606.tif 000013
【図１３】
0005033606.tif 000014